(57)【特許請求の範囲】
【請求項１】
一方のコネクタに、ロック壁部が設けられると共に、該ロック壁部とは反対側において、ガタ防止用の突部を前端側に有する可撓性のアームがコネクタ嵌合ないし離脱方向に突出して設けられ、
他方のコネクタに、該ロック壁部の内側に進入する可撓性のロックアームが設けられると共に、該ロックアームとは反対側の外壁に、該突部に対する係合用の凹部が設けられ、
両コネクタの完全嵌合時に、該ロックアームの外面が該ロック壁部の内面に押接すると共に、該突部が該凹部に係合して該アームの撓みが解除された状態で、該凹部の前後の面に該突部の前後の面が密着することを特徴とするコネクタのガタ防止構造。
【請求項２】
前記凹部の前後の面と前記突部の前後の面とがそれぞれ傾斜面であることを特徴とする請求項１記載のコネクタのガタ防止構造。
【請求項３】
前記アームが前記一方のコネクタのコネクタ嵌合室に沿って真直に設けられたことを特徴とする請求項１又は２記載のコネクタのガタ防止構造。
【請求項４】
前記アームが前記コネクタ嵌合室の内壁面と同一面に位置し、前記突部が該内壁面から該コネクタ嵌合室内に突出していることを特徴とする請求項３記載のコネクタのガタ防止構造。
【請求項５】
前記アームとは９０°位相ずれした方向にガタ防止用の可撓性の第二，第三のアームが配設されたことを特徴とする請求項１〜４の何れかに記載のコネクタのガタ防止構造。
【請求項６】
前記第二，第三のアームが前記一方のコネクタの両側の壁部と同一面に位置し、該第二，第三のアームの突部が該壁部から突出していることを特徴とする請求項５記載のコネクタのガタ防止構造。
【発明の詳細な説明】
【０００１】
【発明の属する技術分野】
本発明は、雄型と雌型の各コネクタの嵌合時における両コネクタの嵌合・離脱方向のガタ付きをアームと凹部との係合によって防止したコネクタのガタ防止構造に関するものである。
【０００２】
【従来の技術】
図９〜図１０は、実開昭６２−５３５８３号公報に記載された従来のコネクタのガタ防止構造を示すものである。
この構造は、コネクタ６５（図１０）を挿着する合成樹脂製のケース６６に三方向の弾性（可撓性）のアーム６７を一体に設け、ケース６６内でコネクタ６５の三方向の外壁６８に各アーム６７を押圧させて、コネクタ６５の挿入直交方向のガタ付きを防止したものである。
【０００３】
アーム６７はケース６６の各壁部６９から内向きに傾斜状に突出したものであり、矩形平板状に形成され、先端のエッジ６７ａでコネクタ６５の外壁６８に押接する。二つのアーム６７は対向して位置し、中間のアーム６７に対向してケース６６の内側にガイドリブ７０が形成され、ケース６６の外側において、ガイドリブ７０からアーム６７の突出方向とは反対の方向にガイド板７１が延長形成され、ガイド板７１に、コネクタ６５に対する係止突起７２が設けられている。
【０００４】
図１０の如く、コネクタ６５はガイド板７１に沿ってケース６６内に挿入され、コネクタ後部のロックアーム７３が係止突起７２に係合して、ケース６６からのコネクタ６５の抜け出しが防止される。コネクタ６５はケース６６内で前記アーム６７（図９）によって内向きに押圧されて、ケース６６内でのガタ付きが防止される。コネクタ６５は、コネクタ嵌合室７４の内側に雄端子（図示せず）を有する雌型のものであり、雌端子（図示せず）を有する相手側の雄型のコネクタ７５がコネクタ嵌合室７４内に挿入されて、雄・雌両端子が接続される。
【０００５】
【発明が解決しようとする課題】
しかしながら、上記従来の構造にあっては、コネクタ６５のガタ付きを確実に防止するために、アーム６７の変位量を大きく設定して、コネクタ６５を押え付ける荷重を得ており、そのために、アーム６７に常に大きな応力がかかり、アーム６７が永久変形を起こし易く、その場合、押圧力が大幅に低減して、コネクタ６５のガタが発生し易くなるという問題があった。また、従来の構造例においては、ケース６６に対するコネクタ６５のガタ防止はできても、コネクタ６５，７５相互のガタ防止手段がなく、雌型のコネクタ６５に対して雄型のコネクタ７５が特に前後方向（嵌合・離脱方向）にガタ付いて、異音や雄・雌端子相互の磨耗や合成樹脂製のコネクタハウジング相互の磨耗等を起こすという問題があった。
【０００６】
本発明は、上記した各問題点に鑑み、雄型・雌型のコネクタ相互の嵌合・離脱方向のガタ付きを確実に防止でき、しかも、ガタ防止用のアームの永久変形が起こらず、長期間に渡って安定してガタ防止を行うことのできるコネクタのガタ防止構造を提供することを目的とする。
【０００７】
【課題を解決するための手段】
上記目的を達成するために、本発明に係るコネクタのガタ防止構造は、一方のコネクタに、ロック壁部が設けられると共に、該ロック壁部とは反対側において、ガタ防止用の突部を前端側に有する可撓性のアームがコネクタ嵌合ないし離脱方向に突出して設けられ、他方のコネクタに、該ロック壁部の内側に進入する可撓性のロックアームが設けられると共に、該ロックアームとは反対側の外壁に、該突部に対する係合用の凹部が設けられ、両コネクタの完全嵌合時に、該ロックアームの外面が該ロック壁部の内面に押接すると共に、該突部が該凹部に係合して該アームの撓みが解除された状態で、該凹部の前後の面に該突部の前後の面が密着することを特徴とする（請求項１）。
前記凹部の前後の面と前記突部の前後の面とがそれぞれ傾斜面であることも有効である（請求項２）。また、前記アームが前記一方のコネクタのコネクタ嵌合室に沿って真直に設けられたことも有効である（請求項３）。また、前記アームが前記コネクタ嵌合室の内壁面と同一面に位置し、前記突部が該内壁面から該コネクタ嵌合室内に突出していることも有効である（請求項４）。
また、前記アームとは９０°位相ずれした方向にガタ防止用の可撓性の第二，第三のアームが配設されたことをも有効である（請求項５）。前記第二，第三のアームが前記一方のコネクタの両側の壁部と同一面に位置し、該第二，第三のアームの突部が該壁部から突出していることも有効である（請求項６）。
【０００８】
【発明の実施の形態】
以下に本発明の実施の形態の具体例を図面を用いて詳細に説明する。
図１〜図５は、本発明に係るコネクタのガタ防止構造の第一実施例を示すものである。
【０００９】
この構造は、図１の如く、雌型のコネクタ１に、コネクタ嵌合方向に突出したガタ防止用の可撓性の第一のアーム（以下アームという）２を設け、雄型のコネクタ４に、該アーム２の突部３を係合させる凹部５を設けたことを特徴とするものである。本書においては、コネクタ嵌合室６を有するコネクタを雌型のコネクタ１、コネクタ嵌合室６に嵌合するコネクタを雄型のコネクタ４と定義している。
【００１０】
雌型のコネクタ１は、合成樹脂製の雌型のコネクタハウジング７と、コネクタハウジング７の垂直な基壁８からコネクタ嵌合室６内に水平に突出した雄型の端子９とで構成されている。雄型の端子９はバスバー１０に続き、バスバー１０は垂直に屈曲して、先端部が例えば機器側の回路基板（図示せず）にハンダ接続される。
【００１１】
コネクタハウジング７は、前記垂直な基壁８と、コネクタ嵌合室６の下側に位置して機器側に接する水平な外壁部１１と、コネクタ嵌合室６の上側に水平に位置するロック壁部１２とを備えている。基壁８の後側に、機器に対する取付部１３が設けられている。
【００１２】
前記アーム２はコネクタハウジング７の外壁部１１側において基壁８から一体に且つコネクタ嵌合室６に沿って水平に突出され、外壁部１１と平行に位置している。アーム２と外壁部１１との間にアーム２に対する撓み空間１４が構成されている。アーム２の上面２ａはコネクタ嵌合室６の内壁面１５と同一面に位置している。内壁面１５は下側の壁部１６（図２）の内面であり、アーム２は周囲のスリット部（図示せず）を介して壁部１６から分離されている。アーム２の先端部においてアーム２の上面２ａから上向きにガタ防止用の突部３が一体に形成されている。突部３はコネクタ嵌合方向の前後両側にテーパ状の傾斜面３ａ，３ｂを有し、各傾斜面３ａ，３ｂの間に頂面３ｃを有している。突部３は内壁面１５からコネクタ嵌合室６内に突出している。
【００１３】
アーム２の下面２ｂはアーム２の先端側から基壁８に向けてやや下向きに傾斜しており、アーム２の付根に向かうにつれてアーム２の板厚が漸次増大して、上向き（コネクタ嵌合室６の内側に向けて）の復元力が発揮される。アーム２の撓み空間１４はクサビ状を呈している。アーム２の長さは端子９の突出長さよりもやや短く、コネクタ嵌合室６の１／３程度の長さである。
【００１４】
図２の如く、雌型のコネクタハウジング７のコネクタ嵌合室６内には上下二段に複数本の雄型の端子９が並列に配置され、各端子９はバスバー１０に続いている。コネクタ嵌合室６を構成する下側の壁部１６の幅方向中央に前記外壁部１１が外向きに膨出形成され、外壁部１１とその幅方向両側の壁部１６とで凹状の壁部１７が構成され、凹状の壁部１７の内側の空間（凹溝）１８内に前記アーム２が撓み可能に位置している。アーム２の先端側の突部３はコネクタ嵌合室６の内壁面１５よりもコネクタ嵌合室６内に高く突出して位置している。アーム２の下面２ｂは凹溝１８内で斜め下向きに延びている。凹溝１８の内面とアーム２の下面２ｂとの間にクサビ状の撓み空間１４が構成されている。
【００１５】
図１，図２で、１９は、突部３を成形するために基壁８に形成された型抜き孔である。２０は、コネクタ嵌合室６の前部開口２１に形成されたガイド面取である。図２で、凹溝１８の左右両側には、相手側の雄型のコネクタハウジング２２の突条２３（図１）を係合させる一対のガイド溝２４が形成されている。
【００１６】
図２で、コネクタ嵌合室６の上側の壁部２５の幅方向中央にロック壁部（ロック手段）１２が位置している。ロック壁部１２はアーム２に対向して位置している。ロック壁部１２の内側には凹溝２６が形成され、凹溝２６内に相手側の雄コネクタハウジング２２のロックアーム２７（図１）が挿入される。２８は、雄コネクタハウジング２２の垂直な位置決め板２９（図３）に対するガイド溝である。
【００１７】
前記下側の壁部１６はコネクタ嵌合室６の左右両側の垂直な壁部３０に一体に続いている。左右の壁部３０はコネクタ嵌合室６の内壁をなすものである。左右の壁部３０には、コネクタ嵌合室６の高さ方向中央部において、ガタ防止用の第二，第三のアーム（以下アームという）３１，３２が対向して設けられている。各アーム３１，３２は、図１にも示す如く、壁部３０の長手方向中間部から後方（コネクタ離脱方向）に向けて真直に延びている。アーム３１，３２（図２）の上下及び前方において壁部３０は略コの字状に切欠（３３）されている。
【００１８】
アーム２の先端側にはガタ防止用の突部３４，３５が一体に設けられ、突部３４，３５は基壁８の近傍に位置し、且つコネクタ嵌合室６の内側に突出している。各アーム３１，３２は各壁部３０と一体に形成され、各アーム３１，３２の内側面は各壁部３０の内側面と同一面に位置している。突部３４，３５は前後にテーパ状の傾斜面３４ａ，３４ｂ（図１参照、図２の突部３５は傾斜面の図示を省略している）を有している。
【００１９】
図２の如く、第二，第三のアーム３１，３２の外側に外側壁３６が壁部３０から膨出形成され、アーム３１，３２の外側面と外側壁３６の内側面との間にアームの撓み空間３７が構成されている。撓み空間３７の隙間寸法は突部３４の高さにほぼ等しい。突部３４のみが壁部３０の内側面からコネクタ嵌合室６内に突出している。第二，第三のアーム３１，３２の突部３４，３５は第一のアーム２の突部３と同様に相手側の雄型のコネクタハウジング２２の凹部３８，３９（図４）に係合する。あるいは、凹部３８，３９（図４）は形成せず、第二，第三のアーム３１，３２の突部３４，３５を相手側の雄型のコネクタハウジング２２の平坦な外壁面４０に押接させることも可能である。
【００２０】
図１の如く、雄型のコネクタ４は、合成樹脂製の雄型のコネクタハウジング２２と、コネクタハウジング２２の前端部に装着される合成樹脂製のフロントホルダ４１と、コネクタハウジング２２の後部開口４２から端子収容室４３内に挿着される雌型の端子６０（図５）と、コネクタハウジング２２の長手方向中間部に、コネクタ嵌合方向とは直交する方向に装着される端子二重係止用のスペーサ４４とで構成される。
【００２１】
コネクタハウジング２２の前端寄りにおいて、下側の外壁４５に、前記第一のアーム２の突部３に対する係合用の凹部５が形成されている。凹部５は、突部３の前後の傾斜面３ａ，３ｂと同じ角度の傾斜面５ａ，５ｂを後側と前側に有している。凹部５の中央部は薄肉の外壁４５を貫通し、この貫通部５ｃに突部３の頂面３ｃが位置して、突部３が凹部５に隙間なく密着する。本例の凹部５は前後がテーパ状の貫通孔である。凹部５は凹溝や貫通しない穴部であってもよい。外壁４５の前端には、アーム２の突部３の前側の傾斜面３ａに対する摺接用のガイド傾斜面４７が形成されている。
【００２２】
薄肉の外壁４５の後側に厚肉の壁部４８が一体に続き、壁部４８と一体に端子係止用の可撓性の係止ランス４９が下段の端子収容室４３内において前方に向けて突出形成されている。係止ランス４９と外壁４５との間にランス４９の撓み空間５０が構成されている。上段の端子収容室４３においては、上下の端子収容室４３を隔てる隔壁５１に係止ランス４９が一体に形成されている。
【００２３】
上段の端子収容室４３の上側の壁部５２に両持ち式のロックアーム（ロック手段）２７が一体に設けられている。ロックアーム２７の前部寄りに、前記ロック壁部１２に対するロック突部５３が設けられている。５４は、ロック解除用の操作突部である。
【００２４】
図３の如く、雄型のコネクタハウジング２２の前部開口５５にフロントホルダ４１が嵌合されて、雄型のコネクタ４の前端壁が構成されている。フロントホルダ４１に、相手側の雌型のコネクタ１（図１）の雄型の端子９に対する挿入孔５６が設けられている。
【００２５】
図４の如く、雄型のコネクタハウジング２２の前端寄りにおいて、下側の外壁４５の幅方向中央に、前記第一のアーム２の突部３に対する係合用の凹部５が形成されている。凹部５は前後の傾斜面５ａ，５ｂと中央の貫通部５ｃとを有し、貫通部５ｃの内側に、左右の端子収容室４３（図１）を隔てる隔壁５７が位置している。外壁４５に続く厚肉の壁部４８の開口５８に端子二重係止用のスペーサ４４が挿着されている。
【００２６】
また、雄型のコネクタハウジング２２の前端寄りにおいて、両側の壁部４０に、第二，第三のアーム３１，３２（図２）の突部３４，３５に対する係合用の凹部３８，３９が形成されている。前述の如く凹部３８，３９を形成せずに、第二，第三のアーム３１，３２の突部３４，３５を両側の壁部４０の外面に押圧気味に接触させることも可能である。この場合はコネクタ完全嵌合時にアーム３１，３２は少し撓んでいる。
【００２７】
図５の如く、両コネクタ１，４を嵌合させる途中で、第一のアーム２の突部３の前側の傾斜面３ａが雄型のコネクタハウジング２２の前端のガイド傾斜面４７にスムーズに摺接しつつ、アーム２が撓み空間１４側に撓み代Ｌで下向きに撓んで、突部３の頂面３ｃが外壁４５の外面に沿ってスムーズに摺接する。アーム２の上面２ａは初期の水平な状態から斜めに傾斜し、アーム２の下面２ｂは初期の斜め上向きの状態からほぼ水平に位置する。アーム２は上向きの復元力（弾性力）を有している。
【００２８】
図５の状態で、雄型の端子９が雌型の端子６０内に挿入され、且つロックアーム２７のロック突部５３がロック壁部１２に押接しつつ、ロックアーム２７が下向きに撓み、ロック突部５３がロック壁部１２の下側に沿って前進する。
【００２９】
図６の如く、両コネクタ１，４が完全嵌合すると同時に、ロックアーム２７が復元して、ロック突部５３がロック壁部１２の前側に係合する。それと同時に、アーム２が復元し、アーム２の突部３がコネクタハウジング２２の外壁４５の凹部５に係合する。アーム２はコネクタ未嵌合時の初期状態、すなわち撓みなく水平に突出した状態に復帰する。
【００３０】
コネクタハウジング２２の外壁４５とアーム２とは平行に位置し、外壁４５とアーム２の上面２ａとの間には若干の隙間が存在する。あるいはアーム２の上面２ａが外壁４５に弱く接触する。突部３は凹部５に隙間なく密着する。すなわち、突部３の前側の傾斜面３ａが凹部５の後側の傾斜面５ａに接触し、突部３の後側の傾斜面３ｂが凹部５の前側の傾斜面５ｂに接触する。これにより、雄型のコネクタ１が雌型のコネクタ４に対して前後方向すなわち嵌合・離脱方向にガタ付きなく係止される。
【００３１】
また、第二，第三のアーム３１，３２（図２）は第一のアーム２と同様に雄型のコネクタハウジング２２の左右の壁部４０（図４）と平行に位置し、各アーム３１，３２の突部３４，３５が各壁部４０の凹部３８，３９に係合し、それによって雌型のコネクタ１に対する雄型のコネクタ４の左右方向（コネクタ嵌合直交方向）のガタ付きが防止されると共に、前後方向（コネクタ嵌合・離脱方向）のガタ付きが一層強力に抑止される。コネクタ嵌合に際しては、各アーム３１，３２の突部３４，３５後側の傾斜面３４ｂ（図１参照、図２の突部３５は傾斜面の図示を省略している）が雄型のコネクタハウジング２２の前端部にスムーズに摺接する。
【００３２】
コネクタハウジング２２の各壁部４０に凹部３８，３９を設けずに、第二，第三のアーム３１，３２の突部３４，３５を各壁部４０の外面に押接させた場合は、雌型のコネクタ１に対する雄型のコネクタ４の左右方向のガタ付きが防止される。この場合でも第一のアーム２によって前後方向のガタ付きは確実に防止される。
【００３３】
第一のアーム２は撓みのない状態（初期形状の状態）で雄型のコネクタハウジング２２の凹部５に係合するから、アーム２の経時的な弾性力の劣化が起こることがなく、長期間に渡って両コネクタ１，４の前後方向のガタ付きが確実に抑えられる。また、アーム２のばね力が弱くても、確実なガタ防止を行うことができるから、アーム２の板厚を薄くでき、且つアーム２の撓み量が少なくてよいから、コネクタの嵌合直交方向のコンパクト化が可能となる。これらの効果は第二，第三のアーム３１，３２においても同様である。
【００３４】
また、図６のコネクタ嵌合状態で、ロックアーム２７のロック突部５３が雌型のコネクタハウジング７のロック壁部１２を越えて、ロックアーム２７の上面２７ａがロック壁部１２の内面１２ａに押接し、且つロックアーム２７とは対向する位置（上下方向位置）に第一のアーム２が配置されているから、ロックアーム２７と第一のアーム２とで上下方向のガタ付きが確実に防止される。ロックアーム２７によってコネクタの後抜けが防止されることは言うまでもない。
【００３５】
図６のコネクタ嵌合状態から、ロックアーム２７を押圧して撓ませ、雄型のコネクタ４を後方に引っ張ることで、第一のアーム２の突部３の後側の傾斜面３ｂが凹部５の前側の傾斜面５ｂにスムーズに摺接しつつ、アーム２が係止解除方向に撓み、雌型のコネクタ４から雄型のコネクタ１がスムーズに離脱される。第二，第三のアーム３１，３２の後側の傾斜面３４ｂと各凹部３８，３９の前側の傾斜面との摺接動作と係止解除動作も同様にスムーズに行われる。
【００３６】
図７〜図８は、本発明に係るコネクタのガタ防止構造の第二実施例を示すものである。
この構造は、雌型のコネクタハウジング７６に第一のアーム（以下アームという）７７をコネクタ離脱方向に突出させて設けたことを特徴とするものである。他の構成は概ね第一実施例と同様であるので詳細な説明を省略する。コネクタハウジング７６と端子（図示せず）とで雌型のコネクタが構成される。
【００３７】
図７の如く、アーム７７は、コネクタハウジング７６のコネクタ嵌合室７８の下側の壁部７９をスリット８０（図８）で切欠して構成したものであり、コネクタ嵌合室７８の入口７８ａ側から後方に向けて真直に延びている。コネクタ嵌合室７８の長さ方向のほぼ中間位置においてアーム７７の先端側に突部８１が設けられ、突部８１はコネクタ嵌合室７８内に突出して位置している。アーム７７の上面７７ａは壁部７９の内壁面９６と同一面に位置し、アーム７７の下面７７ｂはアーム７７の上面７７ａと平行に位置している。
【００３８】
突部８１は前例同様に山型状に形成されて、前後に傾斜面８１ａ，８１ｂを有し、各傾斜面８１ａ，８１ｂの間に湾曲状（アール形状）の頂部８１ｃを有している。突部８１の下面８１ｄはテーパ状に傾斜してアーム７７の下面に続いている。アーム７７と外壁部８２との間にアーム撓み空間８３が形成され、突部８１は傾斜状の下面８１ｄによって撓み代が増し、突部８１の付根からも撓み可能である。突部８１に対する凹部を有する雄型のコネクタは図示を省略するが、前例とほぼ同様のものである。
【００３９】
図８の如く、雌型のコネクタハウジング７６のコネクタ嵌合室７８の両側の壁部８４，８４に前例同様の第二，第三のアーム８５，８６が形成されている。第二，第三のアーム８５，８６は第一のアーム７７と同じくコネクタ離脱方向に延び、第一のアーム７７と第二，第三のアーム８５，８６の各基部（付根）の位置と各突部８１，８７，８８の頂部の位置は前後方向（コネクタ嵌合・離脱方向）のずれなくほぼ一致している。
【００４０】
第二，第三のアーム８５，８６はコネクタハウジング７６の両側の壁部８４と同一面に位置し、各壁部８４の内面から各突部８７，８８がコネクタ嵌合室７８内に突出している。両突部８７，８８は前後の傾斜面８７ａ〜８７ｂ，８８ａ〜８８ｂと頂面８７ｃ，８８ｃとを有している。第一のアーム８１は第二，第三のアーム８５，８６の中間に位置している。第二，第三のアーム８５，８６の外側に外側壁８９が位置し、各外側壁８９と各アーム８５，８６との間にアーム撓み空間９０が構成されている。
【００４１】
図７の如く、コネクタ嵌合室７８の基壁９１には雄型の端子（図示せず）を圧入するための挿通孔９２と、アーム７７の突部８１を一体成形するための型抜き孔９３とが形成されている。アーム７７に対向して上側の壁部９４に、相手側の雄コネクタ（図示せず）のロックアームに対するロック手段であるロック壁部９５が形成されている。本例の作用効果は第一実施例と同様であるので説明を省略する。
【００４２】
なお、上記各実施例においては、雌型のコネクタハウジング７，７６にアーム２，７７を設け、雄型のコネクタハウジング２２…（第二実施例は図示せず）に、アーム２，７７の突部３，８１に対する凹部５…を設けたが、これに代えて、雄型のコネクタハウジング２２…の下側の外壁４５ないし壁部４８にアーム（図示せず）を設け、雌コネクタハウジング７，７６の壁部１１，８２に凹部（図示せず）を設けることも可能である。この場合、アームは雄型のコネクタハウジング２２…の外壁４５…と平行に位置し、突部は外向きに位置する。また、上記雌型のコネクタ１…を機器に対して上向き（垂直）に配置し、雌型のコネクタ１…に対して雄型のコネクタ４…を上下方向に嵌合・離脱させることも可能である。また、本実施例におけるガタ防止構造は、フロントホルダ４１やスペーサ４４を用いないコネクタや、機器直付けでないコネクタに対しても適用可能である。
【００４３】
【発明の効果】
以上の如く、請求項１記載の発明によれば、一方のコネクタのアームの突部が他方のコネクタの凹部にコネクタ嵌合・離脱方向のガタ付きなく係合することで、両コネクタのコネクタ嵌合・離脱方向のガタ付きが防止され、異音や端子の磨耗やコネクタハウジングの磨耗といった不具合が防止される。また、両コネクタを完全に嵌合させた後は、アーム自体の撓みがなくなり、アームに撓み方向の応力が生じないから、従来のようにアームが永久変形を起こすことがなく、長期間に渡って安定したガタ抑止力が発揮される。また、アームとロックアームとの間で他方のコネクタが一方のコネクタに挟持されるから、コネクタ嵌合直交方向のガタ付きも防止される。
また、請求項２記載の発明によれば、突部と凹部とが前後の傾斜面同士で接触するから、突部が隙間なく凹部に密着し、請求項１におけるコネクタ相互のガタ付きが一層確実に抑止される。また、コネクタを離脱させる際に、突部と凹部の傾斜面同士がスムーズに摺接し、突部が凹部から容易に離脱され、コネクタの離脱作業が容易化する。また、請求項３記載の発明によれば、一方のコネクタのコネクタ嵌合室内に他方のコネクタが嵌合する際に、アームの突部が他方のコネクタの外壁に摺接しつつ外側に撓むから、アームが他方のコネクタの嵌合操作の邪魔にならず、コネクタ嵌合が確実に行われる。また、アームがコネクタ嵌合室に沿って真直に配置されたことで、雄・雌両コネクタの嵌合後はアームの撓み、すなわちアームのコネクタ嵌合・離脱方向の遊びがゼロとなり、コネクタ嵌合・離脱方向のガタが確実に抑止される。また、請求項４記載の発明によれば、アームがコネクタ嵌合室の内壁面と同一面に位置したことで、請求項３に記載したと同様に、雄・雌両コネクタの嵌合後にアームの撓み、すなわちアームのコネクタ嵌合・離脱方向の遊びがゼロとなり、コネクタ嵌合・離脱方向のガタが確実に抑止される。
また、請求項５記載の発明によれば、第二，第三のアームによって請求項１におけるアームとロックアームの配置方向とは直交する方向にも他方のコネクタが挟持され、上下左右のガタ付きが防止される。また、請求項６記載の発明によれば、コネクタ完全嵌合時における第二，第三のアームの撓みが抑えられて、請求項１におけると同様にアームの永久変形が防止される。
【図面の簡単な説明】
【図１】本発明に係るコネクタのガタ防止構造の第一実施例を示す縦断面図である。
【図２】雌型のコネクタを示す正面図である。
【図３】雄型のコネクタハウジングを示す正面図である。
【図４】雄型のコネクタハウジングを示す下面図である。
【図５】両コネクタが嵌合する途中の状態を示す縦断面図である。
【図６】両コネクタが完全に嵌合した状態を示す縦断面図である。
【図７】コネクタのガタ防止構造の第二実施例における雌型のコネクタハウジングを示す縦断面図である。
【図８】同じく雌型のコネクタハウジングを示す横断面図である。
【図９】従来例を示す斜視図である。
【図１０】従来例を示す要部縦断面図である。
【符号の説明】
１                          雌型のコネクタ
２，７７                    アーム（第一のアーム）
３，３４，３５，８１        突部
３ａ，３ｂ，８１ａ，８１ｂ  傾斜面
４                          雄型のコネクタ
５                          凹部
５ａ，５ｂ                  傾斜面
６，７８                    コネクタ嵌合室
１２，９５                  ロック壁部（ロック手段）
２２                        雄型のコネクタハウジング
２７                        ロックアーム（ロック手段）
３０，８４                  壁部
３１，８５                  第二のアーム
３２，８６                  第三のアーム
４５                        外壁
【図１】
0003539673.tif 000002
【図２】
0003539673.tif 000003
【図３】
0003539673.tif 000004
【図４】
0003539673.tif 000005
【図５】
0003539673.tif 000006
【図６】
0003539673.tif 000007
【図７】
0003539673.tif 000008
【図８】
0003539673.tif 000009
【図９】
0003539673.tif 000010
【図１０】
0003539673.tif 000011